(57)【特許請求の範囲】
【請求項１】
相手コネクタにおいて内部に接続端子が配設された凹状の被嵌合部内に挿入する凸状の嵌合部と、
前記嵌合部内に配設され、前記嵌合部を前記被嵌合部に挿入した際に、前記相手コネクタの前記接続端子に接続される端子と、
を有する防水コネクタであって、
前記嵌合部の外周面には、
当該外周面の周方向に亘って設けられ、前記被嵌合部の内周面と気密的に密着して前記接続端子と前記端子との接続部分を防水する防水部材と、
前記外周面において前記防水部材とは異なる位置に設けられ、前記被嵌合部の内周面と非気密的に密着して摩擦を発生し、前記嵌合部の挿入方向とは逆向きの前記嵌合部の抜け方向への移動を規制する摩擦部材と、
を有する、
防水コネクタ。
【請求項２】
前記摩擦部材は、前記防水部材よりも挿入方向側に設けられている、
請求項１記載の防水コネクタ。
【請求項３】
前記摩擦部材は、Ｏリングであり、
前記嵌合部の外周面は、前記Ｏリングを装着可能に周方向に延在して設けられ、前記Ｏリングを放射方向に不均等に張り出させるよう周方向で異なる深さを有する溝部を有する、
請求項１または２記載の防水コネクタ。
【請求項４】
前記防水部材及び前記摩擦部材はいずれも、前記外周面から放射方向に張り出して設けられ、
前記放射方向のうち少なくとも一部の方向において、前記摩擦部材が張り出す長さは、前記防水部材が張り出す長さよりも短い、
請求項１から３のいずれか一項に記載の防水コネクタ。
【請求項５】
内部に端子が配設された凸状の嵌合部を有する防水コネクタと、
前記嵌合部が挿入して嵌合する凹状の被嵌合部と、前記被嵌合部内に配設され、前記被嵌合部に前記嵌合部が挿入された際に、前記端子に接続する被接続端子と、を有する相手コネクタと、
前記嵌合部を前記被嵌合部に挿入する際、前記嵌合部の外周面と前記被嵌合部の内周面との間に気密的な密閉状態を形成して前記接続端子と前記端子との接続部分を防水する防水部材と、
前記嵌合部を前記被嵌合部に挿入する際、前記防水部材により前記気密的な密閉状態が形成されるよりも先に、前記外周面または前記内周面との非気密的な密着状態を形成して摩擦を発生するとともに、前記気密的な密閉状態が形成される間、前記非気密的な密着状態による摩擦の発生を持続して、前記嵌合部の挿入方向とは逆向きの抜け方向への移動を規制する摩擦部材と、
を有する防水コネクタ装置。
【発明の詳細な説明】
【技術分野】
【０００１】
本発明は、防水コネクタ及び防水コネクタ装置に関し、特に、携帯型の医療用電子機器等の携帯型電子機器と電子部品との接続に適用可能な防水コネクタ及び防水コネクタ装置に関する。
【背景技術】
【０００２】
従来、光によって非観血的に動脈血酸素飽和度（ＳｐＯ２）を測定できる医療用電子機器として、パルスオキシメータが知られている。動脈血酸素飽和度とは、動脈血における総ヘモグロビンに対する酸化ヘモグロビンの割合を表す生体パラメータである。
【０００３】
パルスオキシメータとしては、指、足趾又は耳朶等の所定部位を挟む一対の上下クリップ片を有し、挟んだ所定部位で光を用いて生体信号を取得するプローブ部と、プローブ部にコネクタを介して接続され、プローブ部で取得された生体信号を処理して動脈血酸素飽和度の測定及び記録を行う本体部と、を有するものが知られている。
【０００４】
プローブ部は、上下クリップの一方のクリップから上下クリップで挟む指に向けて、例えば、発光ダイオード等の発光素子を用いて、赤色光又は赤外光を発光し、他方のクリップで、例えば、フォトダイオード等の受光素子を用いて、指を透過した光を検出する（例えば、特許文献１参照）。パルスオキシメータは、本体部の信号処理回路で、プローブ部で検出した透過光の検出信号を用いて動脈血酸素飽和度の計測処理を行い、動脈血の脈拍に同期する光検出レベルの変動を赤色光の場合と赤外光の場合とで対比し、その比から動脈血酸素飽和度を算出する。
【先行技術文献】
【特許文献】
【０００５】
【特許文献１】特開平７−２３６６２５号公報
【発明の概要】
【発明が解決しようとする課題】
【０００６】
ところで、パルスオキシメータは、近年、在宅酸素療法でも積極的に使用されるようになったことから、日常生活の行動に伴い、トイレ、洗面所等の水回り設備で使用する際に、シンクやボウルに落下したり水しぶきがかかったり、或いは、飲食の際や、降雨等によっても水がかかる恐れが生じている。
【０００７】
従来のパルスオキシメータでは、本体部分の防水は勿論のこと、本体部と、プローブ部とを接続するコネクタにおいても、防水化することが必要ないにせよ、生活防水程度の日常生活で必要な防滴性は確保したいという要望があった。
【０００８】
通常、コネクタを介して電子機器同士を接続する際に、互いに嵌合するプラグとソケットの嵌合部及び被嵌合部同士の間にＯリングを設ける構造が知られている。
【０００９】
この場合、Ｏリングは、一方の嵌合部の外周か、或いは、嵌合部が挿入して嵌合される被嵌合部の内周の一方に取り付けられる。
【００１０】
この構造では、プラグ及びソケットは、Ｏリングを押し潰しながら互いの嵌合部及び被嵌合部を挿入操作によって嵌合するため、水密性を高く保持するため圧縮されるＯリングの応力を高めると、挿入により嵌合する際に密閉される空間の空気圧が高くなる。これにより、挿入後に、密閉空間の空気圧によって、プラグが抜脱方向に押し戻され、所謂、ソケットからのプラグの浮きが発生する。この浮きを解消するには、嵌合部分の周囲に嵌合部分に連通する気室を設けるなど圧縮空気を緩和する構造を用いる必要がある。
【００１１】
しかしながら、在宅酸素療法等で使用されるパルスオキシメータは、携帯型で小型化を図ることが好まれており、小型化を検討されるパルスオキシメータでは、気室のためのスペースを確保できないという問題がある。
【００１２】
また、嵌合状態を別部材のロック機構で保持する構成も考えられるが、この構成では、別部材のコストが掛かるだけでなく、別部材を配置するスペースも確保する必要があり、携帯型の構造には適さない。
【００１３】
本発明はかかる点に鑑みてなされたものであり、簡易な構成で、かつ、省スペースで接続部分の防水性を確保できる防水コネクタ及び防水コネクタ装置を提供することを目的とする。
【課題を解決するための手段】
【００１４】
本発明の防水コネクタの一つの態様は、
相手コネクタにおいて内部に接続端子が配設された凹状の被嵌合部内に挿入する凸状の嵌合部と、
前記嵌合部内に配設され、前記嵌合部を前記被嵌合部に挿入した際に、前記相手コネクタの前記接続端子に接続される端子と、
を有する防水コネクタであって、
前記嵌合部の外周面には、
当該外周面の周方向に亘って設けられ、前記被嵌合部の内周面と気密的に密着して前記接続端子と前記端子との接続部分を防水する防水部材と、
前記外周面において前記防水部材とは異なる位置に設けられ、前記被嵌合部の内周面と非気密的に密着して摩擦を発生し、前記嵌合部の挿入方向とは逆向きの前記嵌合部の抜け方向への移動を規制する摩擦部材と、
を有する構成を採る。
【００１５】
本発明の防水コネクタ装置の一つの態様は、
内部に端子が配設された凸状の嵌合部を有する防水コネクタと、
前記嵌合部が挿入して嵌合する凹状の被嵌合部と、前記被嵌合部内に配設され、前記被嵌合部に前記嵌合部が挿入された際に、前記端子に接続する被接続端子と、を有する相手コネクタと、
前記嵌合部を前記被嵌合部に挿入する際、前記嵌合部の外周面と前記被嵌合部の内周面との間に気密的な密閉状態を形成して前記接続端子と前記端子との接続部分を防水する防水部材と、
前記嵌合部を前記被嵌合部に挿入する際、前記防水部材により前記気密的な密閉状態が形成されるよりも先に、前記外周面または前記内周面との非気密的な密着状態を形成して摩擦を発生するとともに、前記気密的な密閉状態が形成される間、前記非気密的な密着状態による摩擦の発生を持続して、前記嵌合部の挿入方向とは逆向きの抜け方向への移動を規制する摩擦部材と、
を有する構成を採る。
【発明の効果】
【００１６】
本発明によれば、簡易な構成で、かつ、省スペースで接続部分の防水性を確保できる。
【図面の簡単な説明】
【００１７】
【図１】本発明の一実施の形態に係る防水コネクタを備えるパルスオキシメータプローブの外観を示す図である。
【図２】本発明の一実施の形態に係る防水コネクタとともに防水コネクタ装置を構成するソケットの説明に供する図である。
【図３】本発明の一実施の形態に係る防水コネクタの側面図である。
【図４】図３のＡ−Ａ線断面図である。
【図５】図３のＢ−Ｂ線断面図である。
【図６】本発明の一実施の形態に係る防水コネクタを示す斜視図である。
【図７】図６のＣ−Ｃ線断面図である。
【図８】本発明の一実施の形態に係る防水コネクタとソケットとの接続状態を示す正面図である。
【図９】本発明の一実施の形態に係る防水コネクタとソケットとの接続状態を示す左側面図である。
【図１０】本発明の一実施の形態に係る防水コネクタとソケットとの接続動作を示す図である。
【図１１】本発明の一実施の形態に係る防水コネクタとソケットとの接続動作を示す図である。
【発明を実施するための形態】
【００１８】
以下、本発明の実施の形態について、図面を用いて詳細に説明する。
【００１９】
図１は、本発明の一実施の形態に係る防水コネクタを備えるパルスオキシメータプローブ（以下、単に「プローブ」という）の外観を示す図であり、図１Ａは右から見た図、図１Ｂは下から見た図である。また、図２は、本発明の一実施の形態に係る防水コネクタとともに防水コネクタ装置を構成するソケットの説明に供する図であり、図２Ａは、ソケットを備える小型電子機器としてのパルスオキシメータ本体を示す図であり、図２Ｂは、同パルスオキシメータが備えるソケットの正面拡大図である。
【００２０】
本実施の形態の防水コネクタ２０は、携帯型で小型化が図られる携帯型電子機器としてパルスオキシメータ本体（図２参照）８０に接続されるプローブ１０に設けられている。
【００２１】
図１に示すプローブ１０は、パルスオキシメータ本体８０に接続可能な防水コネクタ２０にケーブル３０を介して接続されている。
【００２２】
プローブ１０は、一対のハウジング１１、１２を有するクリップ式のプローブである。プローブ１０は、ハウジング１１、１２により、被検者の指に装着して、動脈血酸素飽和度（ＳｐＯ２）を計測するものである。ハウジング１１及びハウジング１２の各後端部１１ａ、１２ａは、クリップの開閉を操作する。ハウジング１１及びハウジング１２は、後端部１１ａ、１２ａ側で互いに連結部１４で揺動可能に連結されており、先端部１１ｂ、１２ｂ同士が接近離反して開閉自在となっている。これにより、ユーザ（検査者、被検者自身であっても良い。）が開閉操作部１３をつまむと、ハウジング１１及びハウジング１２の各先端部１１ｂ、１２ｂ側が開く。これにより、指挿入口１５側から被検者の指をハウジング１１及びハウジング１２の間に挿入して、ハウジング１１は、指を爪側から挟み、ハウジング１２は指の腹側から指を挟むことが可能となる。
【００２３】
このプローブ１０は、図示しないが、発光ダイオード等の発光素子を用いて、赤色光又は赤外光を発光し、フォトダイオード等の受光素子を用いて、指を透過した光を検出する。検出される信号は、ケーブル３０を介して防水コネクタ２０に送られ、防水コネクタ２０をソケット９０に接続することによって、パルスオキシメータ本体８０に送られる。パルスオキシメータ本体８０は、信号処理回路で、プローブ１０で検出した透過光の検出信号を用いて動脈血酸素飽和度の計測処理を行い、動脈血の脈拍に同期する光検出レベルの変動を赤色光の場合と赤外光の場合とで対比する。その比から動脈血酸素飽和度を算出している。
【００２４】
図２に示すようにパルスオキシメータ本体８０は、一側面８２に露出し、防水コネクタ２０の相手コネクタの一例としてのソケット９０を有する。
【００２５】
ソケット９０は、パルスオキシメータ本体８０の筐体の一部に凹状に形成された被嵌合部９２と、凹状の被嵌合部９２内に、被嵌合部９２の底面の中央部に配設される接続端子９６と、内部に接続端子９６が配設された柱状部９４と、を有する。ソケット９０は、パルスオキシメータ本体８０の筐体に一体的に形成されており、被嵌合部９２及び柱状部９４は、絶縁体であり、筐体と一体成形されている。また、接続端子９６は、例えば、外部に露出する一端部側を筒状に形成し、他端部側をピン状として、柱状部９４内に位置させている。このような位置させた接続端子９６は、筐体にインサート成形して設けることによって、接続端子９６を介したパルスオキシメータ本体８０内への水の浸入を防止できる。
【００２６】
なお、ソケット９０は、防水コネクタ２０に対応して形成されており、凹状の被嵌合部９２、柱状部９４、接続端子９６のそれぞれの形状、位置は、防水コネクタ２０の形状に対応する。また、凹状の被嵌合部９２、柱状部９４は、正面視して左右で異なる外形を有しているので、これに嵌合する防水コネクタ２０の向きは規定される。このソケット９０と、防水コネクタ２０とでコネクタ装置を構成する。
【００２７】
図３は、本発明の一実施の形態に係る防水コネクタの側面図であり、図４は、図３のＡ−Ａ線断面図であり、図５は、図３のＢ−Ｂ線断面図である。また、図６は、本発明の一実施の形態に係る防水コネクタを示す斜視図であり、図７は、図６のＣ−Ｃ線断面図である。
【００２８】
図３〜図７に示すように、防水コネクタ２０は、コネクタカバー２１と、凸状の嵌合部２２と、凸状の嵌合部２２内に配置される端子２３と、防水部材２４と、摩擦部材２５と、を有する。
【００２９】
コネクタカバー２１は、嵌合部２２内の端子２３に接続されるケーブルの端部が導入される。コネクタカバー２１は、絶縁材料により形成されることが好ましく、例えばポリエステルエラストマーで形成される。
【００３０】
凸状の嵌合部２２は、パルスオキシメータ本体８０の凹状の被嵌合部９２内に挿入して嵌合される。嵌合部２２は、コネクタカバー２１の底面から突出するように設けられ、突出部分が、前記被嵌合部９２の形状に対応した筒状をなし、内部に中空部２２４を有する。嵌合部２２の筒状部分の中空部２２４には、ソケット９０の柱状部９４が内嵌され、嵌合部２２の筒状部分の内部には、開口側に向かって底面から突出する端子２３が配設されている。端子２３は、ここでは、ピン端子であり、嵌合部２２を被嵌合部９２に挿入した際に、接続端子９６の筒状部分に挿入して接続端子９６に導通可能に接続される。
【００３１】
端子２３は、ここでは嵌合部２２にインサート成形されており、嵌合部２２との間には気密性が保持されている。つまり、嵌合部２２の内部から防水コネクタ２０の内部に水が浸入することがない。端子２３は、嵌合部２２に固定される固定端側で、コネクタカバー２１内に配線されるケーブルの導線（図示省略）に接続されている。
【００３２】
嵌合部２２は、絶縁材料、例えば、ＡＢＳやＰＣ（Polycarbonate：ポリカーボネイト）等により形成されてもよい。
【００３３】
嵌合部２２は、その外周面２２１に、挿入方向側の端部である突出端部から順に、摩擦部材２５と、防水部材２４とが所定間隔を空けて配設されている。
【００３４】
防水部材２４は、外周面２２１の周方向に亘って設けられる。防水部材２４は、嵌合部２２を被嵌合部９２内に挿入した際に、弾性変形して被嵌合部９２の内周面９２１（図２参照）と気密的に密着する。このとき、嵌合部２２の内側には柱状部９４が挿入し、端子２３と接続端子９６とが接続される。防水部材２４は、接続端子９６と端子２３と接続部分を防水する。
【００３５】
摩擦部材２５は、防水部材２４とは異なる位置に設けられている。摩擦部材２５は、被嵌合部９２の内周面９２１（図２参照）と非気密的に密着して摩擦を発生する。これにより、嵌合部２２が被嵌合部９２に挿入されている状態では、摩擦部材２５は、嵌合部２２の挿抜方向への移動を規制する。
本実施の形態では、摩擦部材２５は、防水部材２４よりも挿入方向側に設けられる。摩擦部材２５は、外周面２２１に、嵌合部２２の中心軸を中心に点対称となる配置されることが好ましい。摩擦部材２５は、嵌合部２２の外周面２２１において、端子２３を均等な間隔で挟むようにそれぞれ配置されている。これにより、被嵌合部９２と嵌合する際に嵌合部２２が位置ずれしたり、端子２３が傾斜したりすることがなく、位置決めされた状態で接続端子９６に好適に接続される。
【００３６】
摩擦部材２５は、嵌合部２２を被嵌合部９２に挿入する際、防水部材２４により気密的な密閉状態が形成されるよりも先に、或いは、同時に、外周面２２１または内周面９２１との非気密的な密着状態を形成して摩擦を発生するようにしてもよい。また、摩擦部材２５は、気密的な密閉状態が形成される間、非気密的な密着状態による摩擦の発生を持続して、嵌合部２２の挿入方向とは逆向きの抜け方向への移動を規制する。
【００３７】
また、摩擦部材２５は、周方向で内周面９２１に気密的に接触する部位（気密部位）２５１、２５２を有する。本実施の形態において防水コネクタ２０からケーブル３０が導出される方向を防水コネクタ２０の後方とすると、摩擦部材２５の気密部位２５１、２５２は、嵌合部２２において前後方向に沿った両側壁面（図５上で中空部２２４を上下方向で挟む壁部の外面）に配置されている。気密部位２５１、２５２は、摩擦部材２５において、外周面２１２から外方に張り出して内周面９２１とで摩擦を発生させる。
なお、本実施の形態の摩擦部材２５は、気密部位２５１、２５２の他に、内周面９２１に気密的に接触しない部位（非気密部位）２５３、２５４を有する（図５参照）。非気密部位２５３、２５４は、内周面９２１に接触せず、非気密部分を形成する。
【００３８】
本実施の形態では、防水部材２４はＯリングであり、嵌合部２２を被嵌合部９２に挿入した際に、嵌合部２２の外周面２２１において全周に亘って均等に潰れるように配置される。
【００３９】
また、摩擦部材２５もここでは、防水部材２４と同様のＯリングで構成される。摩擦部材２５と防水部材２４とを同じ部材で構成すれば、双方を別体で形成するよりも部品点数の削減をおこなうことができ、製作コスト削減を図ることができる。
【００４０】
図６及び図７に示すように、嵌合部２２の外周面２２１には、周方向に延在する複数の溝部２２６、２２８が形成されている。
【００４１】
溝部２２６は、嵌合部２２の外周に一定の深さで形成され、この溝部２２６内に防水部材２４としてのＯリングが外嵌され、外周面２２１より放射方向側に均等な長さ分、張り出すように配置される。
【００４２】
一方、溝部２２８は、外周面２２１において周方向に延在するが、その深さは異なる。
【００４３】
図７に示すように、ここでは、嵌合部２２の外周面２２１において、端子２３を挟み防水コネクタ２０の前後方向から端子２３を介して対向する前後壁面部分では、溝部２２８の深さを溝部２２６の深さよりも深くしている。溝部２２８内に配置される摩擦部材２５の外径は、両側壁面に配置される一部（気密部位２５１、２５２）で内周面９２１に密着する長さであり、前後壁面部分に配置される一部（非気密部位２５３、２５４）で内周面９２１（図２参照）に密着しない長さである。これにより、外周面２２１において、摩擦部材２５が配置される部位の周方向では、部分的に内周面９２１と密着させて摩擦を発生することができる。
【００４４】
摩擦部材２５は、Ｏリングであり、嵌合部２２の外周面２２１は、Ｏリングを装着可能に周方向に延在して設けられ、Ｏリングを放射方向に不均等に張り出させるよう周方向で異なる深さを有する溝部２２８を有する。
これにより、摩擦部材２５として、防水部材２４と同様のＯリングを溝部２２８に外嵌させると、図４及び図５に示すように、摩擦部材２５は、嵌合部２２の外周面２２１において、前後壁面部分と両側壁面とに配置される部位で、防水部材２４とは、張り出す長さが異なり不均等になる。外周面２２１の全周に配置される摩擦部材２５としてのＯリングは、外周面２２１において両側壁面に配置される気密部位２５１、２５２として、内周面９２１に接触して摩擦を発生する位置に配置される。また、外周面２２１において前後壁面部分に配置される非気密部位２５３、２５４として、外周面２２１よりも後退する位置に位置するように配置される（図９参照）。
【００４５】
図４のハッチングで示す防水部材２４としてのＯリングは、外周面２２１の全周に亘って均等である。これに対して、図５のハッチングで示す摩擦部材２５としてのＯリングでは、外周面２２１の前後壁面部分に外嵌する非気密部位２５３、２５４は、防水部材２４の同じ箇所での部位２４１、２４２よりも張り出し方向の長さが短い。これにより、この箇所では、摩擦部材２５は、被嵌合部９２の内周面９２１に摺動せず、摩擦は発生しないようになっている。
【００４６】
摩擦部材２５がＯリングであれば、嵌合部２２の外周面２２１において、溝部２２８の深さを適宜変更することによって、溝部２２８内に取り付けられる摩擦部材２５としてのＯリングの外周面２２１からの張り出し長を好適な長さに変更できる。
【００４７】
図８は、本発明の一実施の形態に係る防水コネクタとソケットとの接続状態を示す正面図であり、図９は、本発明の一実施の形態に係る防水コネクタとソケットとの接続状態を示す左側面図である。なお、図８及び図９と、これらに加えて、図１０及び図１１では、便宜上、防水コネクタ２０における防水部材２４、摩擦部材２５及びソケット９０側の構成を部分的に断面図として示す。
【００４８】
図８及び図９に示す防水コネクタ２０は、相手コネクタとしてのソケット９０、防水部材２４，摩擦部材２５とともに防水コネクタ装置を構成する。防水コネクタ２０によれば、内部に端子２３が配設された凸状の嵌合部２２を有する。相手コネクタであるソケット９０は、嵌合部２２が挿入して嵌合する凹状の被嵌合部９２と、被嵌合部９２内に配設され、被嵌合部２２に嵌合部９２が挿入された際に、端子２３に接続する被接続端子９６と、を有する。防水部材２４は、嵌合部２２を被嵌合部９２に挿入する際、嵌合部２２の外周面２２１と被嵌合部９２の内周面９２１との間に気密的な密閉状態を形成して接続端子９６と端子２３との接続部分を防水する。摩擦部材２５は、嵌合部２２を被嵌合部９２に挿入する際、防水部材２４により気密的な密閉状態が形成されるよりも先に、外周面２２１または内周面９２１との非気密的な密着状態を形成して摩擦を発生するとともに、気密的な密閉状態が形成される間、非気密的な密着状態による摩擦の発生を持続して、嵌合部２２の挿入方向とは逆向きの抜け方向への移動を規制する。
【００４９】
図９に示すように、嵌合部２２の外周面２２１のうち、前後面部分では、摩擦部材２５は、ソケット９０において被嵌合部９２の内周面９２１に接触しないが、図８に示すように嵌合部２２の両側面部分では、確実に密着に接触している。これにより、防水部材２４で嵌合部２２と被嵌合部９２間の防水を施し、摩擦部材２５で挿入後の防水コネクタ２０の浮きを防止する。
【００５０】
図１０及び図１１は、本発明の一実施の形態に係る防水コネクタとソケットとの接続動作を示す図である。
【００５１】
また、図１０に示すように、防水コネクタ２０をソケット９０に接続しようとすると、図１０に示すように、凹状の被嵌合部９２に、当該被嵌合部９２に対応した外形を有する凸状の嵌合部２２を挿入することになる。嵌合部２２の外周面２２１には、凹状の被嵌合部９２との気密性を確保する防水部材２４が配設されているため、そのまま、嵌合部２２を被嵌合部９２に挿入すると、被嵌合部９２内は、嵌合部２２により密閉に近い空間となり、嵌合部２２の挿入具合によって空気が圧縮される。
【００５２】
本実施の形態によれば、図１１に示すように、摩擦部材２５によって、防水コネクタ２０を嵌合する際に発生する被嵌合部９２内の空気圧を、摩擦部材２５の非気密部位２５３、２５４を介して（空気の流れを矢印で示す）緩和する。その一方で、摩擦部材２５は、防水部材２５とともに、空気圧に抗する摩擦を発生させて、防水コネクタ２０のソケット９０からの浮き上がりを防止できる。
【００５３】
これにより、従来と異なり、空気圧を緩和するための気室を設ける必要がなく、別部材を配置するスペースも確保する必要がない。よって、簡易な構成で、かつ、省スペースで防水性を確保できる。
【００５４】
また、本実施の形態の防水コネクタ２０は、パルスオキシメータに用いた構成として説明したが、これに限らず、コネクタと、コネクタを介して接続される電子機器との双方ともに防水性を確保できる。また、流体の流路を接続するコネクタ装置にも適用できる。
【００５５】
なお、本実施の形態では、防水部材２４、摩擦部材２５を、防水コネクタ２０に設ける構成としたが、内周面９２１側に設けても良いことは勿論である。この場合、防水部材２４は、凹状の被嵌合部９２の底面側に配置され、摩擦部材２５は、凹状の被嵌合部９２の開口部側に設ける。この構成でも本実施の形態と同様の作用効果を得ることができる。
また、防水コネクタ２０側に防水部材２４、ソケット８０側に摩擦部材２５をそれぞれ設けてもよい。嵌合部２２を被嵌合部９２に挿入して、防水部材２４を介して嵌合する際に、これらの嵌合と同時に、摩擦部材２５が内周面９２１に気密的に密着するようにしてもよい。
【００５６】
また、本実施の形態における摩擦部材２５は、防水部材２４と同じＯリングを適用して説明したが、被嵌合部９２の内周面９２１に周方向で部分的に密着して摩擦を発生し、嵌合部２２の挿入方向とは逆向きの抜け方向への移動を規制すればどのように設けられて良い。例えば、Ｏリングに替えて単独の摩擦体を、嵌合部２２の外周面２２１における所定の箇所に設けてもよい。
【００５７】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００５８】
本発明に係る防水コネクタ及び防水コネクタ装置は、簡易な構成で、かつ、省スペースで防水性を確保できる効果を有し、携帯型電子機器同士の接続、携帯電子機器と電子部品の接続、または流体の流路の接続に用いられるものとして有用である。
【符号の説明】
【００５９】
１０  プローブ
１１、１２  ハウジング
１５  指挿入口
２０  防水コネクタ
２１  コネクタカバー
２２  嵌合部
２３  端子
２４  防水部材
２５  摩擦部材
３０  ケーブル
８０  パルスオキシメータ本体
８２  側面
９０  ソケット
９２  被嵌合部
９２１  内周面
９６    接続端子
１１ａ  後端部
１１ｂ  先端部
２２１  外周面
２２４  中空部
２２６  溝部（第１溝部）
２２８  溝部（第２溝部）
【図１】
0006637790.tif 000002
【図２】
0006637790.tif 000003
【図３】
0006637790.tif 000004
【図４】
0006637790.tif 000005
【図５】
0006637790.tif 000006
【図６】
0006637790.tif 000007
【図７】
0006637790.tif 000008
【図８】
0006637790.tif 000009
【図９】
0006637790.tif 000010
【図１０】
0006637790.tif 000011
【図１１】
0006637790.tif 000012